(57)【要約】      （修正有）【課題】太陽電池モジュールにおいて、太陽電池素子の破損やリード線ずれ、裏面保護シートの外観不良などが発生した際に、太陽電池モジュールから裏面保護シートを引き剥がす作業にあたり、簡便かつ従来の方法よりも容易に裏面保護シートを引き剥がす方法、およびそのための引き剥がし治具を提供する。【解決手段】表面保護シート１、充填材シート２、平面状に配置された太陽電池素子３、充填材シート４、および裏面保護シート５がこの順に積層され、加熱圧着により一体化された構成の太陽電池モジュールを８０〜１６０℃に加熱し、前記太陽電池モジュール端部から前記裏面保護シートの一部を引き剥がし、棒状部材に把持し、棒状部材に巻き付けながら前記裏面保護シート５を引き剥がすことを特徴とする方法。【選択図】図１
2016157774.tif 000002
【特許請求の範囲】
【請求項１】
表面保護シート、充填材シート、平面状に配置された太陽電池素子、充填材シート、および裏面保護シートがこの順に積層され、加熱圧着により一体化された構成の太陽電池モジュールから前記裏面保護シートを引き剥がす太陽電池モジュールの裏面保護シートの引き剥がし方法であって、前記太陽電池モジュールを８０〜１６０℃に加熱し、前記太陽電池モジュール端部から前記裏面保護シートの一部を引き剥がし、棒状部材に把持し、棒状部材に巻き付けながら前記裏面保護シートを引き剥がすことを特徴とする太陽電池モジュール裏面保護シートの引き剥がし方法。
【請求項２】
前記棒状部材に前記裏面保護シートを把持するためのスリット部が備えられており、前記太陽電池モジュールの端部から引き剥がされた前記裏面保護シートの一部を前記スリット部に差し込んで棒状部材を回転させることで把持することを特徴とする請求項１に記載の太陽電池モジュール裏面保護シートの引き剥がし方法。
【請求項３】
請求項１または２に記載の太陽電池モジュール裏面保護シートの引き剥がし方法に用いる治具であって、棒状部材と、棒状部材上に裏面保護シートを把持するための機構と、棒状部材を回転させるための取っ手とを有することを特徴とする太陽電池モジュール裏面保護シート引き剥がし治具。
【発明の詳細な説明】
【技術分野】
【０００１】
本発明は太陽電池モジュールの裏面保護シートの引き剥がし方法および引き剥がし治具に関し、特に太陽電池モジュールに太陽電池素子の破損やリード線ずれ、裏面保護シートの外観不良等の不良が発生した際、これらの修復を目的に裏面保護シートを太陽電池モジュールから引き剥がす際の作業性の向上を目的とする引き剥がし方法および引き剥がし治具に関する。
【背景技術】
【０００２】
太陽電池モジュールは、太陽電池素子やリード線を充填材で保護しガラスと裏面保護シートで挟む構造が一般的に用いられる。太陽電池素子の破損やリード線ずれ、裏面保護シートの外観不良が発生した際、これらの修復を目的に裏面保護シートを剥がす作業が必要になる。
【０００３】
ところで、裏面保護シートと充填材とは強固に密着しているため、引き剥がす際は太陽電池モジュールを温めながら裏面保護シート端部を掴み、かなりの力を入れて引き剥がす必要があるが、作業時間が掛かったり、また正常な太陽電池素子まで位置ずれしたり、割れてしまったりするなどの作業上の問題があった（特許文献１）。
【先行技術文献】
【特許文献】
【０００４】
【特許文献１】特開２０１３−２１１４０１号公報
【発明の概要】
【発明が解決しようとする課題】
【０００５】
すなわち本発明は、このような事情に鑑みてなされたものであって、表面保護シート、充填材シート、平面状に配置された太陽電池素子、充填材シート、および裏面保護シートがこの順に積層され、加熱圧着により一体化された太陽電池モジュールにおいて、太陽電池素子の破損やリード線ずれ、裏面保護シートの外観不良などが発生した際に、太陽電池モジュールから裏面保護シートを引き剥がす作業にあたり、簡便かつ従来の方法よりも容易に裏面保護シートを引き剥がす方法、およびそのための引き剥がし治具を提供することを目的とする。
【課題を解決するための手段】
【０００６】
第１の発明は、表面保護シート、充填材シート、平面状に配置された太陽電池素子、充填材シート、および裏面保護シートがこの順に積層され、加熱圧着により一体化された構成の太陽電池モジュールから前記裏面保護シートを引き剥がす太陽電池モジュールの裏面保護シートの引き剥がし方法であって、前記太陽電池モジュールを８０〜１６０℃に加熱し、前記太陽電池モジュール端部から前記裏面保護シートの一部を引き剥がし、棒状部材に把持し、棒状部材に巻き付けながら裏面保護シートを引き剥がすことを特徴とする太陽電池モジュール裏面保護シートの引き剥がし方法である。
【０００７】
第２の発明は、前記棒状部材に前記裏面保護シートを把持するためのスリット部が備えられており、前記太陽電池モジュールの端部から引き剥がされた前記裏面保護シートの一部を前記スリット部に挟み込んで固定した後に、棒状部材を回転させることで把持することを特徴とする太陽電池モジュール裏面保護シートの引き剥がし方法である。
【０００８】
第３の発明は、前記太陽電池モジュール裏面保護シートの引き剥がし方法に用いる治具であって、棒状部材と、棒状部材上に裏面保護シートを把持するための機構と、棒状部材を回転させる取っ手とを有することを特徴とする太陽電池モジュール裏面保護シート引き剥がし治具である。
【発明の効果】
【０００９】
太陽電池モジュールから裏面保護シートを引き剥がす際、従来の方法よりも力を入れずに容易に裏面保護シートを引き剥がすことができる。また、従来の端部を掴み引き剥がす方法では一点に力が加わり、正常な太陽電池素子に破損を発生させやすいのに対し、本発明の治具を用いると破損が発生させにくくすることができ、作業性と生産性を向上させることができる。
【図面の簡単な説明】
【００１０】
【図１】太陽電池モジュールの一例を示す断面の模式図である。
【図２】本発明の引き剥がし方法の実行順序を示す模式図である。
【図３】本発明の引き剥がし治具の一例を示す模式図である。
【図４】本発明の一例の引き剥がし治具を用いた本発明の引き剥がし方法の実施状況を示す説明図である。
【発明を実施するための形態】
【００１１】
以下に、本発明について、説明する。
【００１２】
本発明は、表面保護シート、充填材シート、平面状に配置された太陽電池素子、充填材シート、および裏面保護シートがこの順に積層され、加熱圧着により一体化された構成の太陽電池モジュールから前記裏面保護シートを引き剥がす太陽電池モジュールの裏面保護シートの引き剥がし方法であって、前記太陽電池モジュールを８０〜１６０℃に加熱し、太陽電池モジュール端部から裏面保護シートの一部を引き剥がして棒状部材に把持し、棒状部材に巻き付けながら裏面保護シートを引き剥がすことを特徴とする太陽電池モジュール裏面保護シートの引き剥がし方法である。
【００１３】
本発明における太陽電池モジュールは、表面保護シート、充填材シート、平面状に配置された太陽電池素子、充填材シート、および裏面保護シートがこの順に積層され、加熱圧着により一体化された構成が一般的である。
【００１４】
表面保護シートとしては、ガラスや樹脂フィルムなどが用いられる。ガラスとしては、白板ガラス、風冷強化ガラス、化学強化ガラス、熱線反射ガラスなどがある。ガラスの厚さは２ｍｍから５ｍｍのものが広く用いられ、一般的には３ｍｍ程度のものが用いられ、軽量化を必要とされる用途には２ｍｍ程度のものが使用される。樹脂フィルムとしては、透過性や耐衝撃性の面からポリカーボネート樹脂が一般的に用いられ、厚さとしては５ｍｍ程度のものが使用される。
【００１５】
太陽電池素子としては単結晶シリコンや多結晶シリコンが一般的に使用され、その厚さは０．３ｍｍ程度であり、コストダウンのためには更に薄いものが使用されている。
【００１６】
充填材シートは透光性、電気絶縁性を有する材料で構成され、エチレン・酢酸ビニル共重合体（ＥＶＡ）樹脂、ポリビニルブチラール（ＰＶＢ）、ポリオレフィンなどが一般的に用いられるが、ＥＶＡ樹脂として、２０重量％から４０重量％の酢酸ビニルを含有するエチレン・酢酸ビニル共重合体樹脂が好ましく用いられ、厚さとしては０．４ｍｍから１ｍｍ程度のものが一般的に使用され、真空ラミネート工程において、溶融、熱架橋することで一体化される。
【００１７】
裏面保護シートとしては、電気絶縁性や水蒸気バリア性を確保するため複数の樹脂フィルムの積層体が使用される。裏面保護シートに求められる特性を維持しながら、作業性を損なわない程度の剛性を得るためには、樹脂フィルムの積層体の一層としてポリエステルフィルムを用いることが一般的であり、他の層としてはオレフィン系フィルムやフッ素系フィルムが充填材シートとの接着性や耐紫外線を付与するために広く用いられている。また、裏面保護シートのいずれかの層には白色の微粒子が添加される場合が多く、可視および赤外領域の光線反射率の向上により太陽電池素子の発電効率の向上がはかられるとともに、太陽電池モジュールのデザインに基づいて特定の色の微粒子が添加されることが行われている。
【００１８】
本発明において、太陽電池モジュールから裏面保護シート引き剥がす際、太陽電池モジュールを熱板などで８０〜１６０℃の温度範囲に加熱することが重要である。８０℃未満の場合は、充填材シートから裏面保護シートを引き剥がすために強い力が必要であり、最悪の場合、裏面保護シートが切れてしまい修復作業をおこなうことができない。また、１６０℃以上で加熱すると充填材シートが極度に軟化してしまい、裏面保護シートを引き剥がした後の充填材シートの表面が凹凸になり、修復後の太陽電池モジュールの裏面外観が不良なものとなる。
【００１９】
本発明における棒状部材は、裏面保護シートが巻き付けられ、回転させられながら太陽電池モジュールから裏面保護シートを引き剥がすという機能を担う。
【００２０】
棒状部材は金属製あるいは樹脂製であることが好ましい。金属の種類としては、アルミニウム、鉄、ステンレス、銅、真鍮などが、入手が容易であり安価であることから好ましい。樹脂製の場合は、その種類は特に限定されないが、高温の裏面保護シートを巻きつけることから耐熱性に優れることが必要であり、裏面保護シートを巻きつけて回転する際に破損しないよう、太さを加味して選定される。
【００２１】
棒状部材の断面は、ほぼ円形であることが、円滑に裏面保護シートを巻き取ることができるため好ましい。断面は真円であることが最も好ましいが、長径に対する短径の比が２以下の楕円形であってもよく、６角形以上の多角形であっても良い。また、本発明における棒状部材は中空であるパイプ状であってもよい。
【００２２】
棒状部材は最大径が２０ｍｍ以上１００ｍｍ以下であることが好ましい。
【００２３】
２０ｍｍ以下の径である場合、１回の回転で巻き取れる長さが短く作業性が悪いという制約がある。１００ｍｍ以上の径である場合は、回転させるための大きなトルクが必要となり、かえって作業性が悪くなることがある。
【００２４】
棒状部材は、裏面保護シートを把持するための機構を有しており、この機構としては裏面保護シートの端部を挟みこむためのクリップ機構や両面粘着テープによる把持機構、スリット部に裏面保護シートの端部を差し込んで棒状部材に巻き付けることで把持する機構等を採用することができる。なかでもスリット部による把持方法が、機構が単純で簡便に把持することができるため好ましい。スリット部は棒状部材の長手方向に沿って１〜５ｍｍの幅で設けられており、スリット部の間隙が１ｍｍ以下では裏面保護シートが入りにくく、５ｍｍ以上の間隙では把持して固定しにくくなり、１〜５ｍｍの幅が好ましい。
【００２５】
棒状部材には該棒状部材を回転させるための取っ手があることが好ましい。取っ手は棒状部材の端部に取付けられ、棒状部材を回転させる際に、容易に力を伝えることができる。取っ手の形状は円形のハンドル状であってもよく、棒状部材に対してＴ状であってもよく、Ｌ型ハンドルであっても良い。
【００２６】
棒状部材に巻きつけながら太陽電池モジュールから裏面保護シートを引き剥がす方法は、裏面保護シート一端部を例えばペンチなどの工具を使用して摘み、引き剥す。剥がした裏面保護シートの一部を棒状部材のスリット部に差し込み、棒状部材を回転させて把持し、さらに回転させながら棒状部材に裏面保護シートを巻きつけて太陽電池モジュールの裏面全体から裏面保護シートを引き剥がすというものである（図２、図４参照）。
【００２７】
本発明の太陽電池モジュールから裏面保護シートを引き剥がすための治具は、棒状部材と、棒状部材上に裏面保護シートを把持するための機構と、棒状部材を回転させるための取っ手とからなる（図３参照）。
【００２８】
太陽電池モジュールから裏面保護シートを引き剥がす際に、本発明の治具を使用し治具の取っ手を持って回転させると、作業を容易に行うことができ好ましい。
【実施例】
【００２９】
以下に太陽電池モジュール裏面保護シートの引き剥がし方法とそのための引き剥がし治具を例示し、本発明を説明する。
【００３０】
用いた裏面保護シートは、ポリプロピレン系多層白色フィルムとポリエチレンテレフタレートフィルムを接着剤により積層した東レフィルム加工（株）製“Ｌｕｍｉｓｏｌａｒ”（登録商標）ＬＴＷ−０９ＳＴ−２を用いた。
【００３１】
太陽電池モジュールは、上記裏面保護シートのポリプロピレン系多層白色フィルム面が充填材シート２と向かい合う方向で、裏面保護シートＬＴＷ−０９ＳＴ−２（厚さ０．２８５ｍｍ×縦１６３０ｍｍ×横１０００ｍｍ）／充填材シート２（サンビック（株）社製ＰＶ−４５ＦＲ００Ｓ厚さ０．４５ｍｍ×縦１６２０ｍｍ×横９９０ｍｍ）／太陽電池素子（アスデン（株）製ＳＡＳ５−１７００）／充填材シート１（同上）／ガラス板（ＡＧＣファブリテック（株）製白板生ガラス、厚さ３．２ｍｍ×縦１６２０ｍｍ×横９９０ｍｍ）をこの順に積層し、（株）ジェイ・イー・ティ製１モジュールラミネーターに設置後、真空時間５分、制御時間１分、プレス時間９分、温度１４４℃の条件にて加熱圧着した。圧着後、室温まで冷却し、太陽電池モジュールを作製した（図１参照）。
【００３２】
太陽電池モジュールを再び１モジュールラミネーターに設置し、１５０℃で１５分程度加熱した後、太陽電池モジュール裏面の角部から裏面保護シートの一部をラジオペンチにて５０ｍｍ程度引き剥がし、アルミニウム製の直径４０ｍｍ、長さ１２００ｍｍの円柱形状パイプ部材に設けた１ｍｍ幅のスリット部分（長さ１０５０ｍｍ）の中央辺りに裏面保護シートを入れて、棒状部材を回転させながら１周程度巻きつけた。太陽電池モジュールの短辺部分（１０００ｍｍ）全てを充填材シートから裏面保護シートを引き剥がすため、棒状部材端部に取付けられている円板状の取っ手（直径１００ｍｍ）を握り、取っ手を回転させて充填材シートから裏面保護シートを引き剥がした。
【００３３】
次に、棒状部材から裏面保護シートを一度取り外して、短辺部分（１０００ｍｍ）全てをスリット部分に入れてから、棒状部材を回転させながら１周程度巻きつけた。
【００３４】
次ぎに端部の取っ手を握り、取っ手を回転させながら充填材シートから裏面保護シートを引き剥がしていき、最終的に太陽電池モジュールの長辺部分（１６３０ｍｍ）全て切れずに引き剥がすことができた。
【符号の説明】
【００３５】
１  表面保護シート
２  充填材シート１
３  太陽電池素子
４  充填材シート２
５  裏面保護シート
６  取っ手
７  棒状部材
８  スリット
【図１】
2016157774.tif 000003
【図２】
2016157774.tif 000004
【図３】
2016157774.tif 000005
【図４】
2016157774.tif 000006